(57)【要約】【課題】従来の電動のバリカンを掃除機に取り付けて毛を吸引しながら切断する装置は、バリカンの動力源が電気のモーターであるため、バリカンを動かすための電力がないと毛が切断できない。【解決手段】バリカンの動力源を掃除機が吸引する風力で羽根車を回転させ、その回転力を利用してバリカンを動かすようにした。これにより掃除機のスイッチを入れるだけで毛が切断できる。【選択図】図１
2009254771.tif 000002
【特許請求の範囲】
【請求項１】
筒状本体の開口を覆うと共に、バリカンの固定刃にスライドして切断する切断刃と、この切断刃をスライドさせると共に、円柱体の周囲に複数の板状の羽根を縦列方向に重複して設けた羽根車と、筒状本体の外周囲の一部から、前記羽根の一部に集中して風を当て、その風を筒状本体側面の一部から排出する通風路とからなる吸引式毛切断装置。
【請求項２】
筒状本体の開口を覆うと共に、バリカンの固定刃にスライドして切断する切断刃と、この切断刃をスライドさせると共に、円柱体の周囲に複数の板状の羽根を縦列方向に重複して設けた羽根車と、この羽根車の一部に風力を当てて羽根車を回転させる第１通風路と、前記羽根車の回転に寄与しない切られた毛が運ばれる第２通風路とを有する通風路と、前記第１の通風路と第２通風路に寄与しない外部から直接の風量調整穴を設けた風量調整手段とからなる吸引式毛切断装置。
【請求項３】
筒状本体の開口を覆うと共に、バリカンの固定刃にスライドして切断する切断刃と、この切断刃をスライドさせると共に、円柱体の周囲に複数の板状の羽根を縦列方向に重複して設けた羽根車を動力源とした切断刃と毛を櫛部の間から集中して吸引できるよう両側面に吸引誘導壁をつけると共に、毛の刈り高を選択できる長さ調整具と、吸引管からの毛屑の受入口及び吸引力に合わせて外気が進入できるようにした風量調整穴や切断具の第１吸気口から通じる第１吸引口を設け、切断具と掃除機のホースとの間の接続部となる継手と、操作性を考慮し、片手あるいは両手で握って作業する補助ハンドルと毛を吸い込みバリカンで切られた毛屑の通風路となる吸引管とからなる吸引式毛切断装置。
【請求項４】
回転軸を有する円柱体と、この円柱体の周壁面に前記回転軸とは斜行した状態で配設した複数の板状の羽根を縦列方向に重複して設けた羽根車を、鉄又は鉛のような重量物で形成したことを特徴とする請求項１又は請求項２、請求項３記載の羽根車。
【発明の詳細な説明】
【技術分野】
【０００１】  この発明は、掃除機などの吸引力により生じる風力を用いて、人間や動物の毛を切断し、その切屑を処理する吸引式毛切断装置及びその装置に用いる羽根車に関する。
【背景技術】
【０００２】本発明の従来例としては、掃除機に電動のバリカンを取り付けて毛を吸引して切断する装置がある。【０００３】
【特許文献１】  特許第３５０８１２４号公報
【特許文献２】  特許第３９２１５０３号公報
【発明の開示】
【発明が解決しようとする課題】
【０００４】  特許第３５０８１２４号公報は、
（イ）バリカンを動かすために必要な動力は電気のモーターであるため、バリカンを動かすための電力がないと毛が切断できない。
（ロ）毛を切断するために最低２回のスイッチを入れなければならないので手間がかかる。
（ハ）バリカン原動力のモーター設備は構造が複雑になっているため製造する部品の数が多くなる。
（ニ）自分で自分の毛を切断するとき、後頭部や襟足などが上手に切断できないときは、他の人に頼んで切ってもらうことになる。
（ホ）掃除機がエアーを吸い込むところは毛を吸い取るところだけなので、掃除機に負担がかかるという欠点があった。
特許第３９２１５０３号公報は、
（イ）バリカンの切断刃をスライドさせるには強い回転力が必要であった。【０００５】  本発明は、このような問題点を解消するためになされたものであり、強力な回転力を有し、操作性の良い吸引式毛切断装置及びその装置に用いる羽根車の提供を目的とする。
【課題を解決するための手段】
【０００６】  上記不具合を解決するために、本発明は次のような構成としている。
請求項１に記載した吸引式毛切断装置は、筒状本体の開口を覆うと共に、バリカンの固定刃にスライドして切断する切断刃と、この切断刃をスライドさせると共に、円柱体の周囲に複数の板状の羽根を縦列方向に重複して設けた羽根車と、筒状本体の外周囲の一部から、前記羽根の一部に集中して風を当て、その風を筒状本体側面の一部から排出する通風路とからなるものとした。
請求項２に記載した吸引式毛切断装置は、筒状本体の開口を覆うと共に、バリカンの固定刃にスライドして切断する切断刃と、この切断刃をスライドさせると共に、円柱体の周囲に複数の板状の羽根を縦列方向に重複して設けた羽根車と、この羽根車の一部に風力を当てて羽根車を回転させる第１通風路と、前記羽根車の回転に寄与しない切られた毛が運ばれる第２通風路とを有する通風路と、前記第１の通風路と第２通風路に寄与しない外部から直接の風量調整穴を設けた風量調整手段とからなるものとした。
請求項３に記載した吸引式毛切断装置は、筒状本体の開口を覆うと共に、バリカンの固定刃にスライドして切断する切断刃と、この切断刃をスライドさせると共に、円柱体の周囲に複数の板状の羽根を縦列方向に重複して設けた羽根車を動力源とした切断刃と毛髪を櫛部の間から集中して吸引できるよう両側面に吸引誘導壁をつけると共に、毛の刈り高を選択できる長さ調整具と、吸引管からの毛屑の受入口及び吸引力に合わせて外気が進入できるようにした風量調整穴や切断具の第１吸気口から通じる第１吸引口を設け、切断具と掃除機のホースとの間の接続部となる継手と、操作性を考慮し、片手あるいは両手で握って作業する補助ハンドルと毛を吸い込みバリカンで切られた毛屑の通風路となる吸引管とからなるものとした。
請求項４に記載した吸引式毛切断装置は、回転軸を有する円柱体と、この円柱体の周壁面に前記回転軸とは斜行した状態で配設した複数の板状の羽根を縦列方向に重複して設けた羽根車を、鉄又は鉛のような重量物で形成したことを特徴とする請求項１又は請求項２、請求項３記載の羽根車とした。
【発明の効果】
【０００７】本発明品は、掃除機のスイッチを入れるだけでバリカンが稼動し毛を切断するため、バリカンを動かすための電力が要らなくなった。
原動力は羽根車に風力を当てる構造なため、比較的簡単な仕組みで部品数も少なく組み立てやすい。
本品を持つところ以外に補助ハンドルを付けたことにより、自分の襟足や後頭部などの長さ調節も簡単にできるようになった。
吸引力が調整できるため掃除機に負担がかからなくなり、吸引力があわない大型のクリーナーも使えるようになった。
羽根車の羽根を縦列方向に重複して設けたことにより、強力な回転力を生み出されより強力な回転になり、バリカンの切断刃がスライドしスムーズに毛が切断できるようになった。
【発明を実施するための最良の形態】
【０００８】以下、本発明を実施するための最良の形態について説明する。【０００９】図１は本発明の吸引式毛切断装置を示す分解斜視図、図１２は普段使用時の実施形態を示す斜視図、図１２は実施形態を示す断面図である。
図１で示すように本発明の吸引式毛切断装置１は、切断する毛の長さを設定するための長さ調整具１０と、この長さ調整具１０を着脱可能な状態で配設した切断具２０と、この切断具２０と図１１で示す掃除機のホース１０３との間を接続するための継手３０の第２吸引口４３から毛を吸引し毛屑を継手３０へと排出する吸引管４０と、後頭部の毛髪を刈り安くする補助ハンドル５０からなる。
このような長さ調整具１０と切断具２０と継手３０と吸引管４０及び補助ハンドル５０について、更に説明する。【００１０】長さ調整具１０は、毛を起こして吸引しやすいようした櫛部１１と本体の両脇には吸引誘導壁１２が第２吸引口４３を覆う高さまであり吸引する空気を誘導し吸引力を低下させないようにしたもので、本体に取り付け、スライドさせて移動し切断する髪の長さを設定するものである。
また、この調整具を削除しても使用は可能である。【００１１】切断具２０は風力入口７１からの風力で羽根車６０を回転させ、その源動力でバリカン８０の切断刃８２が左右にスライドして毛を切断するものである。【００１２】図１と図６と図１１を参照して継手３０について説明する。
継手３０は、切断具２０からの羽根車６０の回転に付与する風の吸引口２６に通じる吸引分岐管３７と、掃除機吸引１０２からの吸引力を調整する吸引調整具３３と吸引管４０からの毛屑１０１が排出される第２受入口３１が設けてあり、切断具２０と掃除機のホース１０３との間の接続部となる。【００１３】吸引調整具３３について詳しく説明する。
吸引調整具３３は、継手３０の一部に直接外気を取り入れるができる風量調整穴３５を設け、掃除機の吸引力の強弱に合わせ、その風量調整穴３５を回転具３３で開けたり閉じたりして吸引力を調整しバリカン８０の稼動にあった風力にするものである。【００１４】図６と図１２を参照して吸引管４０について説明する。
吸引管４０は切断具２０の第１受入口４１に吸引管４０の第１差込部４１が接続し、継手３０の第２受入口３１に吸引管４０の第２差込部４２が接続となった、第２吸引口４３から毛を吸い込みバリカン８０で切られた毛屑１０１が第２通風路４４をとおり、第２排出口４５から継手３０の管内へ送られる筒状のものである。【００１５】図１と図３を参照して補助ハンドル５０について説明する。
補助ハンドル５０は襟足や後頭部などが刈れない人のための装置で、板状のものを切断具２０の第３取付部２３Ａと第４取付部２３Ｂに取り付けたものである。
このハンドルを片手或いは両手で握って、下部の首方向から滑るように上部方面に切断していくことで、襟足などの長さ調節も簡単にできるようにしたものである。【００１６】図３および図６と図８を参照してバリカン８０と、羽根車６０とについて説明する。
図８は転結回転具９０と羽根車６０とを連結して示す斜視図である。
図３で示すようにバリカン８０は、一般的な毛を切断するときなどに用いられている固定刃８１と左右方向にスライドする切断刃８２の２枚刃よりなる公知のものであり、詳細な説明は省略する。
このバリカン８０は、図６で示したように固定刃８１の内側に配設され、第１吸気口２４より吸引され風力で羽根車６０が回転し、その回転力で切断刃８２をスライドさせて、第２吸引口４３から吸い込まれた毛を切断するものである。【００１７】羽根車６０は、図９で示すように突出した回転軸６３を有する円柱体６１周壁面６４に、円弧形の帯板よりなる縦列した複数の羽根６２を取付けしたもので上部羽根６２Ａと下部羽根６２Ｂからなる。
この羽根６２と円柱体６１とは、回転によって遠心力がより増すように、重量のある材質、例えば鉄や鉛などの材質を用いる。
また、羽根６２は、回転軸６３と平行ではなく斜行するように、円柱体６１の周壁面６４にそって滑り台の如く降下するように取付けすることで、羽根６２に当った風力が回転力を増すように、羽根６２にそって流れることで、風力の有効活用ができるように配慮している。【００１８】このように形成した羽根車６２を、風力によって回転させる第１通風路２５について、図３と図６を参照して説明する。
図３は羽根車６０と機具本体との配置関係を示す説明図である。
前カバー７６と後カバー７７に取付けられた羽根車６０は、図３で示すように第１吸引口２６で吸引し第１吸気口２４から入り込む風は、風力入口７１から入り第１通風路２５を斜め方向に進み、上部羽根６２Ａにあたりその羽根を押しながら次に縦列方向に重複した下部羽根６２Ｂに当たりその風力によって羽根車６０が回転するものである。
第１吸気口２４の吸引口については、物が入らないよう吸引口にネットを取り付け、吸引方向も吸引口に入る風が操作の支障ならないよう継手３０側としたものである。
したがって、図示しない掃除機などの吸引力により生じた風力が原動力となり羽根６２及び回転軸６３、連結回転具９０が連動して回り、その回転力が切断刃８２をスライドさせて吸引した毛を切断する。その切断した毛屑は吸引管４０を通り処理されていくのである。【００１９】以上のように、本実施形態によれば操作性、便利性が良く、複数の板状の羽根を縦列方向に重複して設けた羽根車により回転力が強くなる効果が得られるものである。
【図面の簡単な説明】
【００２０】
【図１】  本発明の細分解斜視図である。
【図２】  本発明の分解斜視図である。
【図３】  本発明の実施形態を示す吸引式毛切断装置内部の部分詳細図である。
【図４】  本発明の平面図である。
【図５】  本発明の図４におけるＡ−Ａ線断面図である。
【図６】  本発明の図４におけるＢ−Ｂ線断面図である。
【図７】  本発明の側面図である。
【図８】  連結回転具と羽根車とを連結して示す斜視図である。
【図９】  羽根車の側面図である。
【図１０】  羽根車の正面図である。
【図１１】  本発明の斜視図である。
【図１２】  本発明の一実施形態である要部を示す断面図である。
【符号の説明】
【００２１】１      吸引式毛切断装置
１０    長さ調整具
１１    櫛部
１２    吸引誘導壁
２０    切断具
２１    第１受入口
２２Ａ  第１取付部
２２Ｂ  第２取付部
２３Ａ  第３取付部
２３Ｂ  第４取付部
２４    第１吸引口
２５    第１通風路
２６    第１排出口
３０    継手
３１    第２受入口
３２    ホース接続部
３３    吸引調整具
３４Ａ  ねじＡ
３４Ｂ  ねじＢ
３５    風量調整穴
３６    調整具枠
３７    吸引分岐管
４０    吸引管
４１    第１差込部
４２    第２差込部
４３    第２吸引口
４４    第２通風路
４５    第２排出口
５０    補助ハンドル
５１Ａ  ねじＡ
５１Ｂ  ねじＢ
６０    羽根車
６１    円柱体
６２    羽根
６２Ａ  上部羽根
６２Ｂ  下部羽根
６３    回転軸
６４    周壁面
７１    風力入口
７２    風力出口
７５Ａ  第１回転軸受
７５Ｂ  第２回転軸受
７６    前カバー
７７    後カバー
８０    バリカン
８１    固定刃
８２    切断刃
８３    連結部挿入口
９０    連結回転具
９１    回転軸挿入口
９２    連結部
１００  毛
１０１  毛屑
１０２  掃除機吸引
１０３  ホース
１０４  掃除機へ吸引
【図１】
2009254771.tif 000003
【図２】
2009254771.tif 000004
【図３】
2009254771.tif 000005
【図４】
2009254771.tif 000006
【図５】
2009254771.tif 000007
【図６】
2009254771.tif 000008
【図７】
2009254771.tif 000009
【図８】
2009254771.tif 000010
【図９】
2009254771.tif 000011
【図１０】
2009254771.tif 000012
【図１１】
2009254771.tif 000013
【図１２】
2009254771.tif 000014